(57)【要約】【課題】条件を満たす人同士が所定のエリア内にいる場合に、互いの存在を柔軟に把握する。【解決手段】他端末検出システム１００は、携帯端末へ通知を行うためのアドレス情報と、他端末検出用コードとを対応付けて記憶するコード記憶部１１０と、コード記憶部１１０を参照して、同じ他端末検出用コードに対応付けられた複数の携帯端末が所定のエリア内に存在するか否かを判断して、複数の携帯端末が存在する場合に通知が必要であると判定する判定部１０４と、判定部１０４が通知が必要であると判定した場合に、コード記憶部１１０に記憶された携帯端末のアドレス情報に基づき、該当する携帯端末に、他の携帯端末が所定のエリア内に存在することを通知する通知部１０６とを含む。【選択図】図１
2014027673.tif 000002
【特許請求の範囲】
【請求項１】
携帯端末へ通知を行うためのアドレス情報と、他端末検出用コードとを対応付けて記憶するコード記憶部と、
前記コード記憶部を参照して、同じ前記他端末検出用コードに対応付けられた複数の携帯端末が所定のエリア内に存在するか否かを判断して、複数の携帯端末が存在する場合に通知が必要であると判定する判定部と、
前記判定部が前記通知が必要であると判定した場合に、前記コード記憶部に記憶された前記携帯端末のアドレス情報に基づき、該当する携帯端末に、他の携帯端末が前記所定のエリア内に存在することを通知する通知部と、
を含む他端末検出システム。
【請求項２】
請求項１に記載の他端末検出システムにおいて、
いずれかの前記携帯端末からの問い合わせに対して、互いに重複しない他端末検出用コードを設定し、当該携帯端末に通知するコード管理部をさらに含む他端末検出システム。
【請求項３】
請求項１または２に記載の他端末検出システムにおいて、
前記所定のエリア内に存在する携帯端末から、当該携帯端末の前記アドレス情報と前記他端末検出用コードを受け付け、前記コード記憶部に記憶するコード登録受付部と、
前記コード記憶部に前記他端末検出用コードと、前記アドレス情報とが対応付けて記憶された前記携帯端末が前記所定のエリア外に移動した場合に、前記コード記憶部に記憶された前記携帯端末に関する情報を削除する変更処理部と、
をさらに含む他端末検出システム。
【請求項４】
請求項１または２に記載の他端末検出システムにおいて、
前記コード記憶部は、各前記携帯端末が存在するエリアを示す情報も、前記アドレス情報と、前記他端末検出用コードとに対応付けて記憶する他端末検出システム。
【請求項５】
請求項４に記載の他端末検出システムにおいて、
前記コード記憶部に前記他端末検出用コードと、前記アドレス情報とが対応付けて記憶された前記携帯端末が異なるエリアに移動した場合に、前記コード記憶部に記憶された前記エリアを示す情報を書き換える変更処理部をさらに含む他端末検出システム。
【請求項６】
請求項１から５いずれかに記載の他端末検出システムにおいて、
前記所定のエリアは、携帯電話網の一の基地局が管轄するエリアである他端末検出システム。
【請求項７】
請求項１から６いずれかに記載の他端末検出システムにおいて、
前記コード記憶部は、前記他端末検出用コードに対応付けて、当該他端末検出用コードが有効な期限も記憶し、
前記判定部は、前記コード記憶部を参照して、前記他端末検出用コードが有効な期限か否かも判断し、前記他端末検出用コードが有効な期限の場合に前記通知が必要であると判定する他端末検出システム。
【発明の詳細な説明】
【技術分野】
【０００１】
本発明は、他端末検出システムに関する。
【背景技術】
【０００２】
特定の日時と場所を指定して待ち合わせをして、指定時間になっても相手に会うことができないとき、相手に催促の電話をかけた方がいいのかどうか判断に迷う場合がある。とくに相手がビジネス上のお客様等であって、少し待てば相手が来る見込みがあるような場合には特段催促の電話は入れたくないものである。このような場合に、相手が近くに来ていることが把握できれば、安心である。
【０００３】
特許文献１（特開平９−２９８７７１号公報）には、同一基地局のサービスエリア内に待ち合わせを要する端末同士が存在することを確認する技術が記載されている。ここでは、端末Ａが、自端末および待ち合わせ相手端末を特定し得る待ち合わせ情報を基地局に送信することにより待ち合わせ登録を行い、基地局は、端末Ａが待ち合わせ登録した相手端末Ｂが同一基地局のサービスエリア内から基地局に位置登録要求を行った際に、端末Ｂに待ち合わせ情報を送信し、端末Ｂから完了通知が来ることにより、基地局の処理が終了するようになっている。
【０００４】
特許文献２（特開２００５−２９４９８５号公報）には、ネットワーク側で、予めメンバ、時間および場所を設定するデータベースと、設定時間に設定場所を含む基地局にて設定メンバの携帯通信端末の存在を監視する手段と、その監視手段にて設定メンバの携帯通信端末に同報通信を行う同報通信手段とを含むシステムが記載されている。
【先行技術文献】
【特許文献】
【０００５】
【特許文献１】特開平９−２９８７７１号公報
【特許文献２】特開２００５−２９４９８５号公報
【発明の概要】
【発明が解決しようとする課題】
【０００６】
しかし、特許文献１や特許文献２に記載の技術では、予め待ち合わせの相手を特定して登録しておく必要があった。そのため、待ち合わせをする人に変更が生じる度に登録し直し等をする必要があり、柔軟な対応ができなかった。
【０００７】
本発明の目的は、上述した柔軟な対応ができないという課題を解決する他端末検出システムを提供することにある。
【課題を解決するための手段】
【０００８】
本発明によれば、
携帯端末へ通知を行うためのアドレス情報と、他端末検出用コードとを対応付けて記憶するコード記憶部と、
前記コード記憶部を参照して、同じ前記他端末検出用コードに対応付けられた複数の携帯端末が所定のエリア内に存在するか否かを判断して、複数の携帯端末が存在する場合に通知が必要であると判定する判定部と、
前記判定部が前記通知が必要であると判定した場合に、前記コード記憶部に記憶された前記携帯端末のアドレス情報に基づき、該当する携帯端末に、他の携帯端末が前記所定のエリア内に存在することを通知する通知部と、
を含む他端末検出システムが提供される。
【０００９】
なお、以上の構成要素の任意の組合せ、本発明の表現を方法、装置、システム、記録媒体、コンピュータプログラム等の間で変換したものもまた、本発明の態様として有効である。
【発明の効果】
【００１０】
本発明によれば、条件を満たす人同士が所定のエリア内にいる場合に、互いの存在を柔軟に把握することができる。
【図面の簡単な説明】
【００１１】
【図１】本発明の実施の形態における他端末検出システムの構成の一例を示すブロック図である。
【図２】他端末検出システムが複数の基地局に共通して設けられた場合のコード記憶部の構成の一例を示す図である。
【図３】基地局Ａが管轄するエリアＡと基地局Ｂが管轄するエリアＢとを含む構成例を示す模式図である。
【図４】基地局Ａが管轄するエリアＡと基地局Ｂが管轄するエリアＢとを含む構成例を示す模式図である。
【図５】他端末検出システムが各基地局にそれぞれ設けられた場合のコード記憶部の構成の一例を示す図である。
【図６】他端末検出システムが各基地局にそれぞれ設けられた場合のコード記憶部の構成の一例を示す図である。
【図７】コード記憶部の構成の他の例を示す図である。
【図８】本実施の形態における他端末検出システムと携帯端末との間の処理手順を示すフローチャートである。
【発明を実施するための形態】
【００１２】
以下、本発明の実施の形態について、図面を用いて説明する。尚、すべての図面において、同様な構成要素には同様の符号を付し、適宜説明を省略する。
【００１３】
以下の実施の形態において、待ち合わせをするユーザ同士が互いに所定のエリア内に存在するか否かを把握するために他端末検出システムを用いる場合を例として示す。ここで、携帯端末は携帯電話とすることができる。また、所定のエリアは、携帯電話網の一の基地局が管轄するエリアとすることができる。
【００１４】
図１は、本実施の形態における他端末検出システムの構成の一例を示すブロック図である。
他端末検出システム１００は、コード登録受付部１０２、判定部１０４、通知部１０６、変更処理部１０８、コード記憶部１１０、およびコード管理部１２０を含む。
【００１５】
図１に示した他端末検出システム１００の各構成要素は、ハードウエア単位の構成ではなく、機能単位のブロックを示している。他端末検出システム１００の各構成要素は、任意のコンピュータのＣＰＵ、メモリ、メモリにロードされた本図の構成要素を実現するプログラム、そのプログラムを格納するハードディスク等の記憶ユニット、ネットワーク接続用インタフェースを中心にハードウエアとソフトウエアの任意の組合せによって実現される。そして、その実現方法、装置にはいろいろな変形例があることは、当業者には理解されるところである。また、図１に示した他端末検出システム１００の各構成要素は、物理的に同じ場所に設けられる必要はなく、ネットワーク等を介して分散配置された構成とすることができる。たとえば、他端末検出システム１００は、複数の基地局にそれぞれ設けられていてもよく、複数の基地局に共通して設けられてもよい。
【００１６】
コード管理部１２０は、いずれかの携帯端末２００からの問い合わせに対して、互いに重複しない他端末検出用コードを設定し、その携帯端末２００に通知する。他端末検出システム１００が、複数の基地局にそれぞれ設けられる場合、コード管理部１２０は、他の基地局に設けられたコード管理部１２０とも連携し、互いに重複する端末検出用コードを設定しないよう管理する。また、他端末検出システム１００のコード管理部１２０以外の構成要素が複数の基地局にそれぞれ設けられた場合でも、コード管理部１２０のみ複数の基地局に共通に１つ設けられるようにしてもよい。
【００１７】
コード登録受付部１０２は、いずれかの携帯端末２００から、当該携帯端末２００へ通知を行うためのアドレス情報と、他端末検出用コードとを受け付ける。コード記憶部１１０は、コード登録受付部１０２が受け付けた他端末検出用コードと、アドレス情報とを対応付けて記憶する。ここで、アドレス情報は、その携帯端末２００の携帯電話番号やメールアドレス等とすることができる。
【００１８】
他端末検出システム１００が、複数の基地局にそれぞれ設けられる場合、コード登録受付部１０２は、各基地局が管轄するエリア内に存在する携帯端末２００から、当該携帯端末２００のアドレス情報と他端末検出用コードを受け付けてコード記憶部１１０に登録する。また、他端末検出システム１００が複数の基地局に共通して設けられる場合、コード登録受付部１０２は、いずれかの基地局が管轄するエリア内に存在する携帯端末２００から、当該携帯端末２００のアドレス情報、他端末検出用コード、および当該携帯端末が存在するエリアを示す情報を受け付けてコード記憶部１１０に登録する。
【００１９】
図２は、他端末検出システム１００が複数の基地局に共通して設けられた場合のコード記憶部１１０の構成の一例を示す図である。コード記憶部１１０は、コード欄と、基地局欄と、アドレス情報欄とを含む。ここでは、他端末検出用コードが「０１２３４５」で、基地局Ａが管轄するエリア内にアドレス情報「０９０−１１１−１１１」の携帯端末が存在することが記憶されている。また、他端末検出用コードが「０１２３４５」で、基地局Ｂが管轄するエリア内にアドレス情報「０９０−２２２−２２２」の携帯端末が存在することが記憶されている。
【００２０】
図１に戻り、判定部１０４は、コード記憶部１１０を参照して、同じ他端末検出用コードに対応付けられた複数の携帯端末が同じエリア内に存在するか否かを判断して、複数の携帯端末が存在する場合に通知が必要であると判定する。判定部１０４は、たとえばコード登録受付部１０２がいずれかの携帯端末２００から他端末検出用コードを受け付けたタイミングで、当該他端末検出用コードをキーとして、コード記憶部１１０を参照して、他の携帯端末が同じエリア内に存在しているか否かを判断することができる。
【００２１】
通知部１０６は、判定部１０４が、通知が必要であると判定した場合に、コード記憶部１１０に記憶された携帯端末のアドレス情報に基づき、該当する携帯端末に、他の携帯端末が同じエリア内に存在することを通知する。
【００２２】
変更処理部１０８は、コード記憶部１１０に他端末検出用コードと、アドレス情報とが対応付けて記憶された携帯端末が他のエリアに移動した場合等に、コード記憶部１１０に記憶された携帯端末に関する情報を変更または削除する。たとえば、他端末検出システム１００が、複数の基地局にそれぞれ設けられる場合、変更処理部１０８は、コード記憶部１１０に他端末検出用コードと、アドレス情報とが対応付けて記憶された携帯端末が他のエリアに移動した場合等に、コード記憶部１１０に記憶された携帯端末に関する情報を削除する。また、他端末検出システム１００が複数の基地局に共通に設けられた場合、変更処理部１０８は、コード記憶部１１０に他端末検出用コードと、アドレス情報とが対応付けて記憶された携帯端末が異なるエリアに移動した場合に、コード記憶部１１０に記憶されたエリアを示す情報を書き換える。
【００２３】
次に、具体的な処理を図３および図４を参照して説明する。
ここでは、基地局Ａが管轄するエリアＡと基地局Ｂが管轄するエリアＢとを示す。基地局Ａおよび基地局Ｂに、それぞれ他端末検出システム１００ａおよび他端末検出システム１００ｂが設けられている。他端末検出システム１００ａおよび他端末検出システム１００ｂは、それぞれ、図１に示した他端末検出システム１００の構成要素のうち、コード管理部１２０以外の構成要素を有するものとする。ここでは、コード記憶部（他端末検出システム１００ａのコード記憶部１１０ａおよび他端末検出システム１００ｂのコード記憶部１１０ｂ）のみ示す。また、コード管理部１２０は、基地局Ａおよび基地局Ｂに共通して設けられているとする。以下、図１も参照して説明する。
【００２４】
まず、エリアＡ内に携帯端末２００ａが、エリアＢ内に携帯端末２００ｂが存在しているとする。この状態で、たとえば、携帯端末２００ａのユーザが携帯端末２００ｂのユーザと待ち合わせをすることにする。
【００２５】
まず、携帯端末２００ａのユーザは、コード管理部１２０に問い合わせを行い、他端末検出用コードを取得する。他端末検出用コードは、携帯端末２００ａからの問い合わせに対してコード管理部１２０が順次発行することにしてもよく、携帯端末２００ａから所望の他端末検出用コードを指定して問い合わせ、重複するコードがなければそれを他端末検出用コードとして登録するようにしてもよい。コード管理部１２０は、他端末検出用コードが重複しないように管理を行う。
【００２６】
携帯端末２００ａのユーザは、コード管理部１２０から他端末検出用コードを取得すると、当該他端末検出用コードを携帯端末２００ａ内の記憶部に登録するとともに、携帯端末２００ｂのユーザに通知する。なお、コード管理部１２０からの他端末検出用コードの取得、携帯端末２００ａ内の記憶部への登録は、ユーザが手動で行う必要はなく、携帯端末２００ａ内に組み込まれたプログラムにより自動的に行うようにすることもできる。
【００２７】
携帯端末２００ｂのユーザは、その他端末検出用コードを携帯端末２００ｂ内の記憶部に登録する。ここでも、携帯端末２００ｂ内の記憶部への登録は、ユーザが手動で行う必要はなく、携帯端末２００ｂ内に組み込まれたプログラムにより自動的に行うようにすることもできる。
【００２８】
また、携帯端末２００ａの記憶部に他端末検出用コードが登録されると、携帯端末２００ａが存在するエリアＡを管轄する基地局Ａの他端末検出システム１００ａのコード登録受付部１０２は、携帯端末２００ａのアドレス情報と他端末検出用コードとを対応付けて取得し、コード記憶部１１０ａに記憶する。また、携帯端末２００ｂの記憶部に他端末検出用コードが登録されると、携帯端末２００ｂが存在するエリアＢを管轄する基地局Ｂの他端末検出システム１００ｂのコード登録受付部１０２は、携帯端末２００ｂのアドレス情報と他端末検出用コードとを対応付けて記憶し、コード記憶部１１０ｂに記憶する。各携帯端末から他端末検出システムへの通知も、携帯端末内に組み込まれたプログラムにより自動的に行うようにすることができる。
【００２９】
ここで、携帯端末２００ａのアドレス情報が「０９０−１１１−１１１」、携帯端末２００ｂのアドレス情報が「０９０−２２２−２２２」であるとする。また、他端末検出用コードが「０１２３４５」であるとする。この場合、コード記憶部１１０ａの構成は、たとえば図５（ａ）に示したようになる。また、コード記憶部１１０ｂの構成は、たとえば図５（ｂ）に示したようになる。
【００３０】
図３に戻り、各基地局の他端末検出システム１００ａおよび１００ｂの判定部１０４は、自己のコード記憶部１１０ａおよび１１０ｂを参照して、同じ他端末検出用コードに対応付けられた他の携帯端末が存在するか否かをチェックする。各基地局の他端末検出システム１００ａおよび１００ｂの通知部１０６は、他の携帯端末が存在する場合、同じ他端末検出用コードに対応付けられた携帯端末にその旨の通知を行う。
【００３１】
さらに、各基地局の他端末検出システム１００ａおよび１００ｂの変更処理部１０８は、コード記憶部１１０ａおよび１１０ｂに他端末検出用コードが記憶された携帯端末が自己が管轄するエリア内から他のエリアに移動すると、コード記憶部１１０ａおよび１１０ｂに記憶された登録を削除する。
【００３２】
図４は、図３でエリアＢ内に存在していた携帯端末２００ｂがエリアＡ内に移動した場合を示す図である。携帯端末２００ｂがエリアＢから移動するので、基地局Ｂの他端末検出システム１００ｂの変更処理部１０８は、コード記憶部１１０ｂから携帯端末２００ｂの情報を削除する。一方、携帯端末２００ｂがエリアＡ内に移動するので、基地局Ａの他端末検出システム１００ａのコード登録受付部１０２は、コード記憶部１１０ａに、携帯端末２００ｂのアドレス情報と他端末検出用コードとを記憶する。
【００３３】
このとき、コード記憶部１１０ａの構成は、たとえば図６に示したようになる。ここで、アドレス情報が「０９０−１１１−１１１」の携帯端末２００ａと、アドレス情報が「０９０−２２２−２２２」の携帯端末２００ｂとが、他端末検出用コード「０１２３４５」に対応付けて記憶されることになる。また、コード記憶部１１０ａには、携帯端末２００ａのアドレス情報と他端末検出用コードとが既に記憶されているので、基地局Ａの他端末検出システム１００ａの判定部１０４は、携帯端末２００ａと携帯端末２００ｂに、互いがエリアＡ内に存在する旨を通知する必要があると判定する。基地局Ａの他端末検出システム１００ａの通知部１０６は、携帯端末２００ａと携帯端末２００ｂに、互いがエリアＡ内に存在する旨を通知する。
【００３４】
なお、コード記憶部１１０は、他端末検出用コードに対応付けて、当該他端末検出用コードが有効な期限も記憶するようにすることができる。図７は、このような場合の他端末検出システム１００ａのコード記憶部１１０ａの構成の一例を示す図である。ここでは、図６に示した構成に加えて、有効期限欄が設けられている。たとえば、携帯端末２００ａのユーザがコード管理部１２０に、他端末検出用コード取得の問い合わせをする際に、有効期限も設定しておき、その情報が各基地局の他端末検出システム１００通知されるようにしてもよい。また、各携帯端末から各基地局の他端末検出システム１００に通知される際に、有効期限も通知されるようにしてもよい。
【００３５】
この場合、判定部１０４は、コード記憶部１１０ａを参照して、他端末検出用コードが有効な期限か否かも判断し、他端末検出用コードが有効な期限の場合に通知が必要であると判定することができる。このようにすれば、たとえば待ち合わせ時間とは全く関係ない時間にたとえば携帯端末２００ａのユーザと携帯端末２００ｂのユーザとが偶然同じエリア内に存在することになった際には通知がされないので、必要なときだけ通知を行うようにすることができる。
【００３６】
図８は、携帯端末２００と、他端末検出システム１００との間の処理手順を示すフローチャートである。以下、図１も参照して説明する。
まず、待ち合わせを行う当事者間で他端末検出用コードを決定する（Ｓ１００）。この処理は、いずれかのユーザが携帯端末２００からコード管理部１２０に問い合わせて行うことができる。各携帯端末２００のユーザは、自己の携帯端末２００に、決定された他端末検出用コードを入力する（Ｓ１０２）。各携帯端末２００から、その携帯端末２００が存在するエリアを管轄する基地局へ、携帯端末２００のアドレス情報と他端末検出用コードとが通知される（Ｓ１０４）。
【００３７】
他端末検出システム１００は、通知された携帯端末のアドレス情報について、既にコード記憶部１１０に記憶（登録）済みか否かを判断し（Ｓ２００）、記憶済みでない場合（Ｓ２００のＮＯ）、その携帯端末２００のアドレス情報および他端末検出用コードをコード記憶部１１０に記憶する（Ｓ２０２）。判定部１０４は、コード記憶部１１０に、同じ他端末検出用コードに対応付けられた他の携帯端末のアドレス情報が記憶されていないか否かを判定する（Ｓ２０４）。他の携帯端末のアドレス情報が記憶されている場合（Ｓ２０４のＹＥＳ）、通知部１０６は、他端末検出用コードが一致する複数の携帯端末に、他の携帯端末が同じエリア内に存在する旨を通知する（Ｓ２０６）。
【００３８】
この後、処理を続けるか否かを判断し（Ｓ２０８）、続ける場合は、ステップＳ２００に戻り、次のアクションが生じるまで待機する。一方、たとえばいずれかの携帯端末２００から、処理中断の指示がある等により処理を継続しない場合（Ｓ２０８のＮＯ）、コード記憶部１１０に記憶された各携帯端末の情報等を削除し（Ｓ２１０）、処理を終了する。たとえば、待ち合わせを予定していた人が全員そろった場合等には、これ以上の通知は不要なので、いずれかのユーザが処理の終了を他端末検出システム１００に通知することができる。なお、他端末検出システム１００の変更処理部１０８は、以上の手順の間中、コード記憶部１１０に既に記憶されている携帯端末がエリア内に存在しているか否かを適宜確認して、存在しない場合は、その携帯端末の情報を削除する等の処理を並行して行うことができる。
【００３９】
本実施の形態における他端末検出システム１００によれば、一時的に発行される他端末検出用コードを用いて、同じ他端末検出用コードが携帯端末内に記憶された携帯端末が同じエリアに存在することが検出された場合に、各携帯端末にその旨が通知されるようになっているので、通知をしたい相手を予め登録しておく必要がない。そのため、たとえば待ち合わせに来るか来ないかわからない人がいる場合でも、その人に他端末検出用コードを知らせておくだけで、とくに登録等することなく、その人がエリア内に来た場合にはそのときエリア内にいるすべてのユーザに通知が行える。また、複数人で待ち合わせをして、いずれかの人が待ち合わせ場所に来られなくなった場合でも、その他の人が集まれば、それらの人への通知が行われるようにすることができる。これにより、柔軟な対応が可能となる。
【００４０】
本実施の形態における他端末検出システム１００によれば、待ち合わせをしたユーザ同士が所定のエリア内にいるときに通知がされるので、待ち合わせをしている場合に、少なくともお互いが近くまで到着しているか否かを把握することができる。待ち合わせ場所や時間の勘違いの可能性やお互いに面識がないという場合に有用である。
【００４１】
また、たとえば一つの基地局が管理するエリア内に互いがいるか否かを判断する程度の緩やかな把握なので、ＧＰＳを利用した場合のように、詳細な場所を相手に知られてしまうというプライバシー上の問題も回避することができる。
【００４２】
以上、図面を参照して本発明の実施形態について述べたが、これらは本発明の例示であり、上記以外の様々な構成を採用することもできる。
【００４３】
さらに、以上では、一つの基地局が管轄するエリア内に互いがいる場合に通知を行う設定を説明したが、エリアの範囲は適宜変更することができる。たとえば、隣接する複数の基地局がそれぞれ管轄する複数のエリアを所定のエリアとして、いずれかのエリア内に互いがいる場合に通知をするようにすることもできる。また、相手に通知する際に、ユーザ間の距離を測定して、距離も通知するようにしてもよい。
【００４４】
さらに、以上では、待ち合わせに用いる場合を例として説明したが、たとえば趣味や興味のあるもの、同じ学校の卒業生、故郷等に対して他端末検出用コードを設定しておき、そのコードを自己の携帯端末に記憶しておくことにより、同様の趣味や興味を持つ人、同じ学校の卒業生、同郷の人等が所定のエリア内に存在するときに、互いに通知を行うようにすることもできる。
【００４５】
さらに、各ユーザが複数の他端末検出用コードを自己の携帯端末に記憶しておくようにして、記憶した他端末検出用コードが一致する度合い等に応じて、同じエリア内にいる他のユーザとの親密度を判定したり、占いに転用する等に用いることもできる。
【００４６】
さらに、上述した他端末検出システム１００は、各ユーザの携帯端末内に設けた構成とすることもできる。この場合、Ｂｌｕｅｔｏｏｔｈ（登録商標）等の近距離通信手段を用いて、近くに同じ他端末検出用コードを記憶した他の携帯端末が存在するか否かを判断することができる。このような例は、とくに混雑した場所での待ち合わせやお互い面識のない者同士の待ちあわせで有効である。
【符号の説明】
【００４７】
１００ 他端末検出システム
１００ａ 他端末検出システム
１００ｂ 他端末検出システム
１０２ コード登録受付部
１０４ 判定部
１０６ 通知部
１０８ 変更処理部
１１０ コード記憶部
１１０ａ コード記憶部
１１０ｂ コード記憶部
１２０ コード管理部
２００ 携帯端末
２００ａ 携帯端末
２００ｂ 携帯端末
【図１】
2014027673.tif 000003
【図２】
2014027673.tif 000004
【図３】
2014027673.tif 000005
【図４】
2014027673.tif 000006
【図５】
2014027673.tif 000007
【図６】
2014027673.tif 000008
【図７】
2014027673.tif 000009
【図８】
2014027673.tif 000010
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
他端末検出用コードを記憶しておき、近距離通信手段を用いて近くに同じ前記他端末検出用コードを記憶した他の携帯端末が存在するか否かを判断する携帯端末装置。
【手続補正３】
【補正対象書類名】明細書
【補正対象項目名】００４６
【補正方法】変更
【補正の内容】
【００４６】
さらに、上述した他端末検出システム１００は、各ユーザの携帯端末内に設けた構成とすることもできる。この場合、Ｂｌｕｅｔｏｏｔｈ（登録商標）等の近距離通信手段を用いて、近くに同じ他端末検出用コードを記憶した他の携帯端末が存在するか否かを判断することができる。このような例は、とくに混雑した場所での待ち合わせやお互い面識のない者同士の待ちあわせで有効である。
以下、参考形態の例を付記する。
１．  携帯端末へ通知を行うためのアドレス情報と、他端末検出用コードとを対応付けて記憶するコード記憶部と、
前記コード記憶部を参照して、同じ前記他端末検出用コードに対応付けられた複数の携帯端末が所定のエリア内に存在するか否かを判断して、複数の携帯端末が存在する場合に通知が必要であると判定する判定部と、
前記判定部が前記通知が必要であると判定した場合に、前記コード記憶部に記憶された前記携帯端末のアドレス情報に基づき、該当する携帯端末に、他の携帯端末が前記所定のエリア内に存在することを通知する通知部と、
を含む他端末検出システム。
２．  １に記載の他端末検出システムにおいて、
いずれかの前記携帯端末からの問い合わせに対して、互いに重複しない他端末検出用コードを設定し、当該携帯端末に通知するコード管理部をさらに含む他端末検出システム。
３．  １または２に記載の他端末検出システムにおいて、
前記所定のエリア内に存在する携帯端末から、当該携帯端末の前記アドレス情報と前記他端末検出用コードを受け付け、前記コード記憶部に記憶するコード登録受付部と、
前記コード記憶部に前記他端末検出用コードと、前記アドレス情報とが対応付けて記憶された前記携帯端末が前記所定のエリア外に移動した場合に、前記コード記憶部に記憶された前記携帯端末に関する情報を削除する変更処理部と、
をさらに含む他端末検出システム。
４．  １または２に記載の他端末検出システムにおいて、
前記コード記憶部は、各前記携帯端末が存在するエリアを示す情報も、前記アドレス情報と、前記他端末検出用コードとに対応付けて記憶する他端末検出システム。
５．  ４に記載の他端末検出システムにおいて、
前記コード記憶部に前記他端末検出用コードと、前記アドレス情報とが対応付けて記憶された前記携帯端末が異なるエリアに移動した場合に、前記コード記憶部に記憶された前記エリアを示す情報を書き換える変更処理部をさらに含む他端末検出システム。
６．  １から５いずれかに記載の他端末検出システムにおいて、
前記所定のエリアは、携帯電話網の一の基地局が管轄するエリアである他端末検出システム。
７．  １から６いずれかに記載の他端末検出システムにおいて、
前記コード記憶部は、前記他端末検出用コードに対応付けて、当該他端末検出用コードが有効な期限も記憶し、
前記判定部は、前記コード記憶部を参照して、前記他端末検出用コードが有効な期限か否かも判断し、前記他端末検出用コードが有効な期限の場合に前記通知が必要であると判定する他端末検出システム。